(57)【要約】【課題】冷却又は加温しようとする部分にフィットさせることが可能な冷却加温具を提供する。【解決手段】冷却加温具１は、不透水性のシートからなる扁平状の袋体に冷却加温用のゲルを充填密閉したものであり、例えば、産婦の乳房を冷却したり加温したりする場合に用いられる。冷却加温具１には、ゲルが充填される領域１０と、シートの内側同士を接着してゲルが充填されない凹部２０とが形成される。【選択図】図１
0003181594.tif 000002
【実用新案登録請求の範囲】
【請求項１】
不透水性のシートからなる扁平状の袋体に冷却加温用のゲルを充填して密封した冷却加温具であって、
前記袋体は、縦方向よりも横方向が長く形成され、横方向における所定位置の端部から内側にかけて前記シートの内側同士を接着して前記ゲルが充填されない凹部が形成された、冷却加温具。
【請求項２】
前記袋体の横方向における中央部分において前記凹部が形成される、請求項１に記載の冷却加温具。
【請求項３】
前記凹部は、略円弧状に形成される、請求項２に記載の冷却加温具。
【請求項４】
前記袋体の縦方向の大きさは、女性の乳房の外縁から乳頭までの長さ以下であり、前記袋体の横方向の大きさは、乳房の外縁の周の４分の１から２分の１程度の大きさである、請求項１から３の何れかに記載の冷却加温具。
【考案の詳細な説明】
【技術分野】
【０００１】
本考案は、人体を冷却又は加温するための冷却加温具に関する。
【背景技術】
【０００２】
従来より、例えば産婦の乳房を冷却するための冷熱温熱治療器がある（例えば、特許文献１）。特許文献１に記載の冷熱温熱治療器は、袋内に冷却加温用のゲルが充填密閉されており、冷蔵庫等で冷却した状態で患部に当てて患部を冷却するものである。
【先行技術文献】
【特許文献】
【０００３】
【特許文献１】意匠登録第９７７０６１号公報
【考案の概要】
【考案が解決しようとする課題】
【０００４】
しかしながら、上記従来の冷熱温熱治療器はそれ自身変形させることが可能なものではあるが、冷却又は加温しようとする部分の形状に合うように変形させて患部の形状にフィットさせるという点においては改善の余地があった。
【０００５】
それ故、本考案の目的は、冷却又は加温しようとする部分にフィットさせることが可能な冷却加温具を提供することである。
【課題を解決するための手段】
【０００６】
本考案は、上記の課題を解決するために、以下の構成を採用した。
【０００７】
本考案の一例は、不透水性のシートからなる扁平状の袋体に冷却加温用のゲルを充填して密封した冷却加温具である。前記袋体は、縦方向よりも横方向が長く形成され、横方向における所定位置の端部から内側にかけて前記シートの内側同士を接着して前記ゲルが充填されない凹部が形成される。
【０００８】
上記によれば、冷却加温具にはゲルが充填されない凹部が形成されるため、冷却加温具を患部（例えば、乳房）にフィットするようにの変形させやすくすることができる。
【０００９】
また、他の構成では、前記袋体の横方向における中央部分において前記凹部が形成されてもよい。
【００１０】
上記によれば、袋体は横方向が縦方向よりも長く形成され、当該横方向の中央部分において上記凹部が形成される。このため、凹部を中心に患部を包み込みやすくすることができる。
【００１１】
また、他の構成では、前記凹部は、略円弧状に形成されてもよい。
【００１２】
上記によれば、患部をより包み込みやすくすることができる。
【００１３】
また、他の構成では、前記袋体の縦方向の大きさは、女性の乳房の外縁から乳頭までの長さ以下であり、前記袋体の横方向の大きさは、乳房の外縁の周の４分の１から２分の１程度の大きさであってもよい。
【００１４】
上記によれば、冷却加温具を用いて乳房を冷却又は加温することができ、乳房を外側や内側等任意の側面から冷却又は加温することができる。
【考案の効果】
【００１５】
本考案によれば、冷却又は加温しようとする部分にフィットさせて当該部分を冷却又は加温することができる。
【図面の簡単な説明】
【００１６】
【図１】本実施形態の冷却加温具１の正面図
【図２】冷却加温具１を図１のＡの方向から見た側面図
【図３】冷却加温具１の図１におけるＡＢ線の断面図
【図４】冷却加温具１を変形させる様子を示す図
【図５】冷却加温具１の使用状態の一例であり、冷却加温具１を乳房に当接させる様子を示す図
【考案を実施するための形態】
【００１７】
（冷却加温具の構成の一例）
以下、図面を参照して、一実施形態に係る冷却加温具１について説明する。本実施形態の冷却加温具１は、授乳期に発生する産婦の乳房の発熱や乳腺炎等の治療のために乳房を冷却したり、血行促進のために加温したりするためのものである。例えば、冷却加温具１は、冷蔵庫等で冷却された後、同型の布袋に入れられてブラジャー等（ハーフトップ、乳帯等を含む）の内部に格納される。
【００１８】
図１は、本実施形態の冷却加温具１の正面図である。図２は、冷却加温具１を図１のＡの方向から見た側面図である。
【００１９】
図１及び図２に示すように、冷却加温具１は、略楕円形の中央部分がくぼんだ形状であり、柔軟な不透水性のシート３０からなる扁平状の袋体の内部に、冷却加温用のゲル（蓄熱・蓄冷材）を充填して密封したものである。シートの素材はどのようなものでもよく、例えばポリエチレンやナイロンが用いられてもよい。また、蓄熱材・蓄冷材としてのゲルは、水と不凍液とゲル化剤とを含む不凍ゲルである。
【００２０】
例えば、図１に示すような略楕円形の中央部分がくぼんだ形状の２枚の不透水性のシートの外縁を熱等により圧着することにより、袋体が形成されてもよい。また、袋状に形成されたシートにゲルが充填されることで、冷却加温具１が形成されてもよい。
【００２１】
冷却加温具１の横方向の長さ（図１の左右方向の長さＷ）は、例えば、１６５ｍｍであり、１３０ｍｍ〜１８０ｍｍの範囲であってもよい。また、縦方向の長さ（図１の上下方向の長さＨ）は、例えば６５ｍｍであり、５５ｍｍ〜９０ｍｍの範囲であってもよい。また、冷却加温具１の厚さＴは、例えば、１０ｍｍ〜１５ｍｍの範囲であってもよい。なお、ここで示した数値は、あくまでも一例であり、他の大きさであってもよい。
【００２２】
図１に示すように、冷却加温具１には、上記ゲルが充填される領域１０と、充填されない凹部２０とが形成される。凹部２０は、袋体の横方向における中央部分が凹状となるように形成された領域であり、上記シートを厚さ方向（図２の上下方向）から熱等により圧着してゲルが浸入しないように形成された領域である。
【００２３】
具体的には、凹部２０は、袋体の横方向（長手方向）における中央部分の端部から内側にかけて略円弧状に形成される。凹部２０は、袋体の縦方向における両端部分のうちの一方（図１の上端部）に設けられる。
【００２４】
図３は、冷却加温具１の図１におけるＡＢ線の断面図である。図３に示すように、領域１０では、シート３０は圧着されずにゲル１１が浸入可能となっている。一方、凹部２０では、シート３０が圧着されてゲル１１が侵入できないようになっている。
【００２５】
このように、冷却加温具１にシートの内側同士を圧着してゲルが充填されない凹部２０が設けられることにより、冷却加温具１を乳房の形状に合うように変形させやすくすることができる。
【００２６】
図４は、冷却加温具１を変形させる様子を示す図である。図４に示すように、ゲルが充填されない凹部２０が横方向における中央部分に設けられることによって、左右のゲルが充填された部分を矢印に示す方向に変形させやすくなるとともに、冷却加温具１を図４の紙面に垂直な方向に変形させて立体的に変形させやすくなる。
【００２７】
図５は、冷却加温具１の使用状態の一例であり、冷却加温具１を乳房に当接させる様子を示す図である。図５に示すように、冷却加温具１は、産婦の乳房４０に沿うようにして当接される。具体的には、冷却加温具１は、乳頭４２の周りを囲むようにして、乳房４０の外縁４１から乳頭４２までの部分に沿って当接される。冷却加温具１にはゲルが充填されない凹部２０が設けられるため、冷却加温具１を立体的に変形させやすい。すなわち、冷却加温具１は、凹部２０を頂点として略円錐状に変形させやすくなる（円錐の側面にフィットし易いように変形する）。従って、冷却加温具１を乳房４０の形状にフィットさせやすく、産婦の乳房を包み込むことができる。
【００２８】
例えば、産婦の乳房の形状にフィットさせるために冷却加温具自体を立体的に形成することが考えられるが、冷却加温具自体を立体的に形成した場合、厚さ方向のサイズが大きくなり持ち運ぶ際に不便である。また、冷却加温具を乳房を包み込むような形状に形成することも考えられるが、形状が複雑になり加工に手間がかかったり、形状が複雑な部分からシートが破れたりすることがある。また、冷却加温具自体の形状を乳房に合わせる場合は、乳房のサイズによっては使用し難いことがある。
【００２９】
しかしながら、本実施形態の冷却加温具１では、単純な扁平状に形成されており、持ち運ぶ際にかさばらず、凹部２０が形成されることによって使用者自らが患部にフィットするように変形させることができる。また、本実施形態では凹部２０をシート同士を接着させることで形成するため、当該凹部の強度を高めることができる。
【００３０】
なお、冷却加温具１の大きさは、平均的な産婦の乳房の大きさや想定する使用時期における乳房の大きさによって定められる。例えば、図５に示すように、冷却加温具１を乳房に当接させた場合、冷却加温具１の横方向の長さＷは、乳房の外周の１／４〜１／２程度であってもよい。また、冷却加温具１の縦方向の長さＨは、乳房の外周から乳頭までの長さ以下であってもよい。このように、本実施形態の冷却加温具１は、乳頭に当たらない程度の大きさに調整され、乳房を包み込むようにして冷却又は加温することができる。
【００３１】
また、図５に示すように、冷却加温具１は、乳房の外側に当接されてもよいし、内側（左右の乳房の内側）に当接されてもよい。また、下側や上側に当接されてもよい。
【００３２】
また、冷却加温具１は、これと同形状の布でできた袋に入れられて乳房に当てられてもよいし、直接乳房に当てられてもよい。そして、冷却加温具１を乳房に当てた上からブラジャー等を装着することにより、冷却加温具１を乳房に当てたまま固定する。
【００３３】
以上のように、本実施形態では、例えば、冷却加温具１を冷蔵庫等で冷却した後に、産婦の乳房を包むようにして乳房を冷却することができる。本実施形態の冷却加温具１は、冷却加温用のゲルが浸入しない凹部２０が設けられるため、冷却加温具１全体を変形させやすくすることができ、乳房を包み込み易くすることができる。また、本実施形態の冷却加温具１は、電子レンジ等で急速に温めたり、冷蔵庫で冷却することができ、繰り返し使用することができる。また、不凍ゲルが用いられるため、冷凍庫で冷却しても固形状に凍らず、患部を冷却するために使用し易い。
【００３４】
なお、上記実施形態は単なる一例であり、例えば以下に説明するように種々の変形が行われてもよい。
【００３５】
例えば、ゲルが充填されない凹部２０の形状は図１に示す略円弧状に限らず、例えば、Ｖ字状に形成されてもよいし、四角形に形成されてもよい。
【００３６】
また、上記実施形態では、熱圧着によりシートの内側同士を接着させることにより凹部２０を形成したが、他の実施形態では、他の任意の方法によりゲルが浸入しない凹部が形成されてもよい。例えば、シートの内側同士を接着剤等で接着させてもよいし、縫着によりシートの内側同士を接着させることによって凹部２０が形成されてもよい。また、凹部２０の全体にわたってシートが接着される必要はなく、ゲルが浸入しないように一部が接着されてもよい。
【００３７】
また、冷却加温具１は、乳房を冷却又は加温するために限らず、他の患部を冷却又は加温するために用いられてもよい。
【符号の説明】
【００３８】
１    冷却加温具
１１  ゲル
１０  ゲルが充填される部分
２０  凹部
３０  シート
４０  乳房
４１  乳房の外縁
４２  乳頭
【図１】
0003181594.tif 000003
【図２】
0003181594.tif 000004
【図３】
0003181594.tif 000005
【図４】
0003181594.tif 000006
【図５】
0003181594.tif 000007